(57)【特許請求の範囲】
【請求項１】
エネルギ区間［Ｅｍｉｎ，Ｅｍａｘ］における瞬間ｔｎの高速及び熱外中性子の流れφ１（ｔｎ）のオンライン測定のための装置であって、
−  主として高速中性子の検出に適する材料を含んでいる高速中性子検出器（ＤＮＲ）、
−  主として熱中性子の検出に適する材料を含んでいる熱中性子検出器（ＤＮＴ）、
−  瞬間ｔｎにおいて、前記高速中性子検出器によって送達される検出信号からデジタル信号ＶＲ（ｔｎ）を送達する第１の電子回路（Ｃ１）、
−  瞬間ｔｎにおいて、前記熱中性子検出器によって送達される検出信号から第２のデジタル信号ＶＴ（ｔｎ）を送達する第２の電子回路（Ｃ２）、
−  瞬間ｔｎにおいて、前記高速中性子検出材料の同位体組成及び前記熱中性子検出材料の同位体組成を決定することができる手段（ＰＭＭ、ＣＥ）、
−  瞬間ｔｎにおいて、前記同位体組成から、前記高速中性子検出器の高速中性子に対する進行性の感度Ｉ１１（ｔｎ）、前記高速中性子検出器の熱中性子に対する進行性の感度Ｉ１２（ｔｎ）、前記熱中性子検出器の熱中性子に対する進行性の感度Ｉ２１（ｔｎ）、及び前記熱中性子検出器の高速中性子に対する進行性の感度Ｉ２２（ｔｎ）を決定することができる手段（ＰＭＭ、ＣＥ）、並びに
−  瞬間ｔｎにおいて、高速及び熱外中性子の流れφ１（ｔｎ）と、熱中性子の流れφ２（ｔｎ）とを、以下の連立方程式：
ＶＲ（ｔｎ）＝ＫＲ×Ｉ１１（ｔｎ）×φ１（ｔｎ）＋ＫＲ×Ｉ１２（ｔｎ）×φ２（ｔｎ）、及び
ＶＴ（ｔｎ）＝ＫＴ×Ｉ２１（ｔｎ）×φ１（ｔｎ）＋ＫＴ×Ｉ２２（ｔｎ）×φ２（ｔｎ）
（ここでＫＲ及びＫＴは、それぞれ前記高速中性子検出器の較正のための係数及び前記熱中性子検出器の較正のための係数である）
から計算するための手段（ＣＡＬＣ）
を備えることを特徴とする測定装置。
【請求項２】
前記高速及び熱外中性子の流れφ１（ｔｎ）と、前記熱中性子の流れφ２（ｔｎ）から、すべての中性子の流れφ（ｔｎ，Ｅ）を、以下の式：
φ（ｔｎ，Ｅ）＝φ１（ｔｎ）・ｆ１（Ｅ）＋φ２（ｔｎ）・ｆ２（Ｅ，θ）
（ここで、
−ｆ１（Ｅ）＝ｆｆｉｓｓ（Ｅ）＋αｆｅｐｉ（Ｅ）、及び
−ｆ２（Ｅ，θ）＝ｆｍｘｗ（Ｅ，θ）
であり、ｆｆｉｓｓ（Ｅ）は中性子の流れの核分裂成分であり、ｆｅｐｉ（Ｅ）は中性子の流れの熱外成分であり、ｆｍｘｗ（Ｅ，θ）は中性子の流れのＭａｘｗｅｌｌｉａｎ成分であり、αは中性子の流れの熱外成分と中性子の流れの核分裂成分との間の比例係数である）を使用して計算するための手段（ＣＡＬＣ）をさらに備えることを特徴とする請求項１に記載の測定装置。
【請求項３】
前記高速及び熱外中性子の流れφ１（ｔｎ）と、前記熱中性子の流れφ２（ｔｎ）から、区間［Ｅｍｉｎ，Ｅｍａｘ］について、瞬間ｔｎにおけるＮｒ個の積分結果
Ｒｋ（ｔｎ）＝ｍｋ１・φ１（ｔｎ）＋ｍｋ２（θ）・φ２（ｔｎ）
を計算するための手段（ＣＡＬＣ）をさらに備えており、ここでＮｒは１以上の整数であり、ｋ番目（ｋ＝１、２、・・・Ｎｒ）の積分結果ｍｋ１、ｍｋ２は以下の式
0005529144.tif 000069
及び
0005529144.tif 000070
によって与えられ、ここで
−ｆ１（Ｅ）＝ｆｆｉｓｓ（Ｅ）＋αｆｅｐｉ（Ｅ）、及び
−ｆ２（Ｅ，θ）＝ｆｍｘｗ（Ｅ，θ）
であり、ｆｆｉｓｓ（Ｅ）は、中性子の流れの核分裂成分であり、ｆｅｐｉ（Ｅ）は中性子の流れの熱外成分であり、ｆｍｘｗ（Ｅ，θ）は中性子の流れのＭａｘｗｅｌｌｉａｎ成分であり、αは中性子の流れの熱外成分と中性子の流れの核分裂成分との間の比例係数であり、
−Ｙｋ（Ｅ）はｋ番目の最終結果を特徴付ける応答関数であることを特徴とする、請求項１に記載の測定装置。
【請求項４】
前記応答関数Ｙｋ（Ｅ）が、前記区間［Ｅｍｉｎ，Ｅｍａｘ］に一致するか又は前記区間［Ｅｍｉｎ，Ｅｍａｘ］に含まれる対象のエネルギ帯［Ｅａ，Ｅｂ］の識別関数であって、
Ｅａ＜Ｅ＜Ｅｂであるならば、Ｙｋ（Ｅ）＝１
そうでないならば、Ｙｋ（Ｅ）＝０
であり、Ｒｋ（ｔｎ）が、エネルギがＥａとＥｂの間である中性子の流れであり、すなわち、すべての中性子の流れ
φ（ｔｎ，Ｅ）＝φ１（ｔｎ）・ｆ１（Ｅ）＋φ２（ｔｎ）・ｆ２（Ｅ，θ）
に対して
0005529144.tif 000071
である、請求項３に記載の測定装置。
【請求項５】
前記応答関数Ｙｋ（Ｅ）が反応の有効巨視的部分Σｒ（Ｅ）であって、
0005529144.tif 000072
であり、Ｎｉ’は媒体内に存在する同位体ｉの原子の数であり、
0005529144.tif 000073
は媒体内での反応ｒに関する同位体ｉの有効微視的部分であり、Ｒｋ（ｔｎ）は媒体内での反応ｒの速度であり、すなわち、すべての中性子の流れ
φ（ｔｎ，Ｅ）＝φ１（ｔｎ）・ｆ１（Ｅ）＋φ２（ｔｎ）・ｆ２（Ｅ，θ）
に対して
0005529144.tif 000074
である、請求項３に記載の測定装置。
【請求項６】
前記反応ｒが、核分裂、又は捕捉である、請求項５に記載の測定装置。
【請求項７】
前記高速中性子検出器及び前記熱中性子検出器が核分裂チャンバであるため、前記進行性の感度Ｉ１１（ｔｎ）、Ｉ１２（ｔｎ）、Ｉ２１（ｔｎ）、及びＩ２２（ｔｎ）が、それぞれ：
0005529144.tif 000075
（ここで、Ｎｉ（ｔｎ）は、主として高速中性子の検出に適する材料の同位体ｉの瞬間ｔｎにおける同位体組成であり、
0005529144.tif 000076
は同位体ｉの有効部分である）
0005529144.tif 000077
（ここで、Ｎｊ（ｔｎ）は、主として熱中性子の検出に適する材料の同位体ｊの瞬間ｔｎにおける同位体組成であり、
0005529144.tif 000078
は同位体ｊの有効部分である）と記述される、請求項１ないし６のいずれか一項に記載の測定装置。
【請求項８】
前記熱中性子検出器が、ウラニウムＵ２３５を含んでいる核分裂チャンバである、請求項７に記載の測定装置。
【請求項９】
前記高速中性子検出器が核分裂チャンバであり、前記熱中性子検出器がコレクトロンであるため、前記進行性の感度Ｉ１１（ｔｎ）、Ｉ１２（ｔｎ）、Ｉ２１（ｔｎ）、及びＩ２２（ｔｎ）が、それぞれ：
0005529144.tif 000079
及び
0005529144.tif 000080
（ここで、Ｎｉ（ｔｎ）は、主として高速中性子の検出に適する材料の同位体ｉの瞬間ｔｎにおける同位体組成であり、
0005529144.tif 000081
は同位体ｉの有効部分である）、並びに
0005529144.tif 000082
（ここで、
0005529144.tif 000083
は、主として熱中性子の検出に適する材料の瞬間ｔｎにおける熱フルーエンスの関数
0005529144.tif 000084
として表にまとめられた補正の消耗関数であり、ＳＲｈ（Ｅ）はコレクトロンの感度である）と記述される、請求項１ないし６のいずれか一項に記載の測定装置。
【請求項１０】
前記熱中性子検出器が、ロジウム、バナジウム、又は銀コレクトロンである、請求項９に記載の測定装置。
【請求項１１】
前記高速中性子検出器が、しきい値核分裂性デポジットを有する核分裂チャンバである、請求項７ないし１０のいずれか一項に記載の測定装置。
【請求項１２】
前記核分裂チャンバが、少なくとも９９．５％の純度のプルトニウムＰｕ２４２を含んでいる核分裂チャンバである、請求項１１に記載の測定装置。
【請求項１３】
前記少なくとも９９．５％の純度のプルトニウムＰｕ２４２を含んでいる核分裂チャンバが、
・加圧された検出ガスを収容することができ、中性子が通過できる壁を有している筐体（１、２０）、
・互いに電気的に絶縁されており、間に電圧を印加することができる第１及び第２の電極（２１、２６、１２０）、
・前記２つの電極の少なくとも一方に付着させられ、少なくとも９９．５％の原子の純度のプルトニウム２４２を含んでいる核分裂性物質、及び
・前記加圧された筐体に含まれており、核分裂の生成物によるイオン化が可能である検出ガス
を含んでいる、請求項１２に記載の測定装置。
【請求項１４】
前記第１及び第２の電極のいずれか一方が前記筐体の一部を形成し、したがって前記電極が外側電極（１）及び内側電極（２）と称される、請求項１３に記載の測定装置。
【請求項１５】
前記核分裂性物質（３）が前記内側電極の壁に付着させられている、請求項１４に記載の測定装置。
【請求項１６】
前記検出ガスが４％のチッ素が加えられたアルゴンである、請求項１３ないし１５のいずれか一項に記載の測定装置。
【請求項１７】
前記高速中性子検出器が、ネプツニウムＮｐ２３７、ウラニウムＵ２３８、又はトリウムＴｈ２３２を含んでいる核分裂チャンバである、請求項１１に記載の測定装置。
【請求項１８】
前記第１の電子回路（Ｃ１）が、前記高速中性子検出器によって送達される信号のデジタル分散の形態のデジタル信号ＶＲ（ｔｎ）を送達するデジタル分散計算プロセッサを含んでいる、請求項１ないし１７のいずれか一項に記載の測定装置。
【請求項１９】
前記第２の電子回路（Ｃ２）が、前記熱中性子検出器によって送達される信号のデジタル分散の形態のデジタル信号ＶＴ（ｔｎ）を送達するデジタル分散計算プロセッサを含んでいる、請求項１ないし１８のいずれか一項に記載の測定装置。
【請求項２０】
前記第２の電子回路（Ｃ２）がデジタル電流−電圧変換回路である、請求項１ないし１８のいずれか一項に記載の測定装置。
【発明の詳細な説明】
【技術分野】
【０００１】
本発明は、エネルギ区間［Ｅｍｉｎ，Ｅｍａｘ］の高速及び熱外中性子の流れのオンライン測定のための装置に関する。
【０００２】
非限定的な例として、本発明は、炉心における高速及び熱外中性子の流れのオンライン測定であって、
−全体としての中性子の流れが大（例えば、１Ｅ１４ｎ／ｃｍ２／ｓ以上）であり、
−全体としての中性子の流れに対して熱中性子の寄与が大きく、
−ガンマ線が強烈であり、
−高速流の時間変化を監視するために（オンラインの）リアルタイム測定が望ましく、
−炉心において行われる測定（より一般的には、「炉心内（ｉｎ−ｃｏｒｅ）」測定と呼ばれる）が望ましいという制約を有する測定に、特に好都合に適用される。
【０００３】
上述の制約は、材料試験炉の計器類（より一般的には、ＭＴＲ（Ｍａｔｅｒｉａｌ  Ｔｅｓｔｉｎｇ  Ｒｅａｃｔｏｒ）計器という用語によって呼ばれる）に当てはまり、あるいは発電用原子炉の炉心の監視（より一般的には、「『炉心内』監視」という用語で呼ばれる）に当てはまる。
【背景技術】
【０００４】
高速中性子の流れの測定は、現在のところ、アクティベーションによる検出器及びオンライン検出器という２つの種類の検出器を使用して行われている。
【０００５】
アクティベーションによる検出器は、線量計であり、その材料が、対象のエネルギ帯の中性子フルーエンスをもたらすように適切に選択されている。これは、試行及び試験された方法（文献［１］を参照）であるが、その欠点は、以下のとおりである。
−線量計を、分析のために炉心から取り出さなければならない（したがって、炉のサイクルの終了後に得られる事後測定である）。
−得られる量が、照射の継続時間にわたって積分された流れであり、したがって時間変化を得ることが不可能である。
【０００６】
オンライン検出器は、先の検出器と異なり、炉の炉心でのオンライン測定を可能にする。公知の技術によれば、オンライン検出器は、熱中性子吸収スクリーンの下方のウラニウム核分裂チャンバである。核分裂チャンバは、炉の中性子の監視のための周知かつきわめて一般的な中性子検出器（「炉心外」又は「炉心内」の検出器）である。小型又は超小型と呼ばれる特定のチャンバが、４ｍｍ以下の直径の円筒の外形を有しており、したがって「炉心内」計器（本発明の応用に包含される分野である）に特によく適する。１９９４年１１月２９日に「Ｃｏｍｍｉｓｓａｒｉａｔ  ａ  ｌ’Ｅｎｅｒｇｉｅ  Ａｔｏｍｉｑｕｅ」の名義で出願され、第２  ７２７  ５２６号として公開されたフランス特許出願（文献［２］を参照）が、そのような核分裂チャンバの詳細な説明を提示している。中性子が、核分裂反応が生じる場所である核分裂性デポジットを通じて検出される。きわめて多くの場合に、このデポジットは、熱中性子の測定もしくは熱成分が存在しない場合の高速中性子の測定によく適するウラニウムＵ２３５で構成される。上述の制約における高速中性子の測定のために、有効な核分裂部分がしきい値を有しているウランＵ２３８の使用が、原則として、優先的に示されている。しかしながら、熱中性子の捕捉の影響により、ウラニウムＵ２３８が、熱中性子のための核分裂性同位体であるプルトニウムＰｕ２３９に変化するという問題が生じる。この問題を克服するために、Ｙ．Ｋａｓｈｃｈｕｋら（文献［３］を参照）が、熱中性子を検出器そのものに達する前に吸収する役割のスクリーン（Ｂ１０、Ｃｄ、Ｇｄ、など）の使用を推奨している。しかしながら、この解決策は、「炉心内」での使用に適合させることを困難にするかさばり、熱の流れの局所的な中断、機械的特性、放射線の影響下での消耗、検出器の加熱など、大きな問題を生じさせる。
【０００７】
別の種類のオンライン検出器を、出願人は承知している。この別の種類のオンライン検出器は、国内登録番号第０７  ６０２２９号として２００７年１２月２１日に本出願の出願人によって出願された未公開のフランス特許出願に記載されている従来技術である。この別の種類の検出器は、少なくとも９９．５％の純度のプルトニウムＰｕ２４２を含んでいる核分裂チャンバで構成されている。図１Ａ及び１Ｂが、そのような核分裂チャンバの２つの例を示しており、図２が、これらの核分裂チャンバにプルトニウムＰｕ２４２を付着させるために適した装置を示している。そのような核分裂チャンバの利点は、いかなる熱中性子スクリーンも使用することなく上述の要件を満たす点にある。
【０００８】
図１Ａが、少なくとも９９．５％の純度のプルトニウムＰｕ２４２を含んでいる核分裂チャンバの第１の例を示している。機械的構造に関して、この核分裂チャンバは、第２  ７２７  ５２６号として公開された特許出願に記載のものと同一である。
【０００９】
参照番号２０が、例えば１．５ｍｍにおおむね等しい外径の管を指しており、この管が、核分裂チャンバのケーシングとして使用されると同時に、少なくとも参照番号２１によって指し示されている部分に関して、カソードとして使用される。この管は、例えばインコネル（Ｉｎｃｏｎｅｌ）又はステンレス鋼で製作される。
【００１０】
チャンバの内部において、例えばルビーで製作された２つのアイソレータ２２、２４が、しきい値核分裂性デポジット（例えば、少なくとも９９．５％に等しい純度のプルトニウムＰｕ２４２）で覆われた中央のアノード２６を支持している。
【００１１】
管２０の一端２３が、例えばステンレス鋼で製作される端部キャップ２８によって閉じられている。使用時、チャンバが、例えばアルゴン又は少量のチッ素（例えば、４％）が追加されたアルゴンなどの中性ガスで、数ｂａｒ（例えば、５ｂａｒ）の圧力に満たされ、端部キャップ２８が、チャンバの充てん及び密封の両方に使用される。アノード２６は、電気信号をチャンバの外部へと伝えるために、導電エレメント３２、３６へと接続される。これらの導電エレメント３２、３６は、特許出願第２  ７２７  ５２６号に記載のように、アセンブリを接続装置へと接続する接続ケーブル１１の導電エレメント４４に接続されている。
【００１２】
導体３２が、核分裂チャンバを定める管２０の内部で導体３６の端部３５へと接続される一方で、高純度のアルミニウムで製作された端部キャップ３４を横切る導体３６の他端３７は、ケーブル１１の金属製の外鞘３０の延長部の内側で導体４４へと接続されている。端部キャップ３４は、管２０の端部４０へと溶接することができる金属ダクト３８に少なくとも部分的にかしめられている。
【００１３】
図１Ｂが、少なくとも９９．５％の純度のプルトニウムＰｕ２４２を含んでいる核分裂チャンバの第２の例を示している。
【００１４】
核分裂チャンバが、装置の外ケーシングである導電性の材料で製作されたチャンバ本体１を備えている。筐体を、完全に別の材料から製作することも可能であり、導電性材料の層を、外側電極１を形成すべく筐体の壁の内側に付着させることが可能である。やはり導電性材料から製作された手段２が、放射性元素（すなわち、本発明によれば、少なくとも９９．５％の純度のプルトニウム２４２）の薄い層１２０を付着させた支持体を形成している。動作において、これらの手段２は、例えばアノードを形成し、本体１がカソードを形成する。カソードとアノードとの間に、イオン化可能ガス（例えば、アルゴン）が１．５ｂａｒで収容される。
【００１５】
気密通路３（金属及びアルミナ）が、基材２を保持し、チャンバの一端の気密を保証する一方で、外部への電気的な接続を可能にする。
【００１６】
ねじ４が、基材を気密通路に固定できるようにしている。
【００１７】
参照番号５が、端部キャップを指しており、参照番号６が、電気的な接続を容易にすべく気密通路のワイヤへと溶接された追加の厚さを指している。
【００１８】
このような核分裂チャンバは、例えば４ｍｍ程度の外径を有することができる。
【００１９】
プルトニウムＰｕ２４２の核分裂チャンバの実施の形態がどのようであっても、プルトニウムＰｕ２４２を含む核分裂性物質の薄い層が、一方の電極又は両方の電極に付着させられる。筐体は、中性子の透過に対して透明であり、換言すると、筐体の壁を中性子が通過することができる。換言すると、筐体の壁を構成する材料が、小さな有効中性子捕捉部を有している。電極は、全体が導電性材料で製作され、あるいは導電性材料の層で覆われる。
【００２０】
プルトニウムＰｕ２４２の層を、例えば図２に示した装置などの装置を使用して、電気メッキによって形成することができる。
【００２１】
付着させられるプルトニウムＰｕ２４２は、ビーカ１０２に配置された硝酸及びシュウ酸アンモニウムの混合物を含む電解液の溶液１００の形態をとることができる。
【００２２】
付着の対象となる電極又は支持体１２０が、テフロン（Ｔｅｆｌｏｎ）で作られた２つの端部１１１、１１３によって、例えばテフロン膜で覆われた白金製の棒１１６の端部に動かぬように保持される。この集合体が、溶液に配置される。溶液を、例えば磁性棒１０４をビーカ１０２の底に配置し、ビーカ１０２を磁気撹拌器１０６上に配置することによって、一様なままであるように攪拌することができる。
【００２３】
導電性材料（例えば、白金）で作られたワイヤ１０５が、溶液１０２内に配置される。電源１０７が、このワイヤ及び溶液に電流を流すことを可能にする。この電流が、プルトニウムを溶液から移動させ、電極又は支持体１２０へと付着させる。
【００２４】
いくつかの場合には、電解液に触れている全表面への一様な付着を得るために、モータ１１０を使用して電極又は支持体１２０を回転させることが可能である。例えば、内側の電極を、矢印１０８によって示されるとおり、６０回転／分で回転させることが可能である。
【００２５】
この方法は、内側の電極及び外側の電極の両方に適用可能である。プルトニウムを外側の電極の内壁に付着させることが望まれる（したがって、外側の電極が例えば円筒形を有している）場合には、電極の外壁が、保護材料の層（例えば、テフロンの層）によって覆われる。
【００２６】
上述の事例では、約３５０ｍＡの電流を２時間にわたって流すことによって、電解液に存在するプルトニウムの９０〜９５％を電極又は支持体１２０へと付着させることができる。
【００２７】
Ｐｕ２４２のプルトニウム核分裂チャンバの１つの問題は、デポジットに核分裂性の不純物（Ｐｕ２３９及びＰｕ２４１）が存在し、これがチャンバに熱中性子に対する感度を与え、熱中性子の存在は少ないが完全に無視することはできない点にある。さらに、連続的な変化による核分裂性同位体の発生が、ウラニウムＵ２３８の場合に見られるよりも大幅に少ないものの、放射の際のこの熱感度を高める。したがって、Ｐｕ２４２のプルトニウム核分裂チャンバは、きわめて特定の状況においてのみスクリーンなしで使用することが可能であり、すなわち熱の流れが大きすぎず、あるいは照射の継続時間が短い場合にのみ、スクリーンなしで使用することができる。
【００２８】
したがって、高速中性子に起因する寄与分（知りたい量）を熱中性子に起因する寄与分から区別することができる測定システムを生み出すという真の要求が存在する。
【発明の概要】
【課題を解決するための手段】
【００２９】
上述のニーズに対応するために、本発明は、エネルギ区間［Ｅｍｉｎ，Ｅｍａｘ］における瞬間ｔｎの高速及び熱外中性子の流れφ１（ｔｎ）のオンライン測定のための装置であって、
−主として高速中性子の検出に適する材料を含んでいる高速中性子検出器（ＤＮＲ）、
−主として熱中性子の検出に適する材料を含んでいる熱中性子検出器（ＤＮＴ）、
−瞬間ｔｎにおいて、前記高速中性子検出器によって送達される検出信号からデジタル信号ＶＲ（ｔｎ）を送達する第１の電子回路、
−瞬間ｔｎにおいて、前記熱中性子検出器によって送達される検出信号から第２のデジタル信号ＶＴ（ｔｎ）を送達する第２の電子回路、
−瞬間ｔｎにおいて、前記高速中性子検出材料の同位体組成及び前記熱中性子検出材料の同位体組成を決定することができる手段、
−瞬間ｔｎにおいて、前記同位体組成から、前記高速中性子検出器の高速中性子に対する進行性の感度Ｉ１１（ｔｎ）、前記高速中性子検出器の熱中性子に対する進行性の感度Ｉ１２（ｔｎ）、前記熱中性子検出器の熱中性子に対する進行性の感度Ｉ２１（ｔｎ）、及び前記熱中性子検出器の高速中性子に対する進行性の感度Ｉ２２（ｔｎ）を決定することができる手段、及び
−瞬間ｔｎにおいて、高速及び熱外中性子の流れφ１（ｔｎ）並びに熱中性子の流れφ２（ｔｎ）を、以下の連立方程式：
ＶＲ（ｔｎ）＝ＫＲ×Ｉ１１（ｔｎ）×φ１（ｔｎ）＋ＫＲ×Ｉ１２（ｔｎ）×φ２（ｔｎ）、及び
ＶＴ（ｔｎ）＝ＫＴ×Ｉ２１（ｔｎ）×φ１（ｔｎ）＋ＫＴ×Ｉ２２（ｔｎ）×φ２（ｔｎ）
（ここでＫＲ及びＫＴは、それぞれ前記高速中性子検出器の較正のための係数及び前記熱中性子検出器の較正のための係数である）から計算するための手段（ＣＡＬＣ）
を備えることを特徴とする測定装置を提案する。
【００３０】
本発明のさらなる特徴によれば、測定装置が、すべての中性子の流れφ（ｔｎ，Ｅ）を以下の式：
φ（ｔｎ，Ｅ）＝φ１（ｔｎ）・ｆ１（Ｅ）＋φ２（ｔｎ）・ｆ２（Ｅ，θ）、
（ここで、
−ｆ１（Ｅ）＝ｆｆｉｓｓ（Ｅ）＋αｆｅｐｉ（Ｅ）、及び
−ｆ２（Ｅ，θ）＝ｆｍｘｗ（Ｅ，θ）であり、
ｆｆｉｓｓ（Ｅ）は、中性子の流れの核分裂成分であり、ｆｅｐｉ（Ｅ）は中性子の流れの熱外成分であり、ｆｍｘｗ（Ｅ，θ）は中性子の流れのＭａｘｗｅｌｌｉａｎ成分であり、αは、中性子の流れの熱外成分と中性子の流れの核分裂成分との間の比例係数である）を使用して計算するための手段をさらに備える。
【００３１】
本発明の別のさらなる特徴によれば、測定装置が、区間［Ｅｍｉｎ，Ｅｍａｘ］について、瞬間ｔｎにおけるＮｒ個の積分結果を計算するための手段をさらに備えており、Ｎｒは１以上の整数であり、ｋ番目（ｋ＝１、２、・・・、Ｎｒ）の積分結果は、以下の式：
Ｒｋ（ｔｎ）＝ｍｋ１・φ１（ｔｎ）＋ｍｋ２（θ）・φ２（ｔｎ）
によって与えられ、ここで
0005529144.tif 000002
及び
0005529144.tif 000003
であって、ここで
−ｆ１（Ｅ）＝ｆｆｉｓｓ（Ｅ）＋αｆｅｐｉ（Ｅ）、及び
−ｆ２（Ｅ，θ）＝ｆｍｘｗ（Ｅ，θ）
であり、ｆｆｉｓｓ（Ｅ）は、中性子の流れの核分裂成分であり、ｆｅｐｉ（Ｅ）は中性子の流れの熱外成分であり、ｆｍｘｗ（Ｅ，θ）は中性子の流れのＭａｘｗｅｌｌｉａｎ成分であり、αは中性子の流れの熱外成分と中性子の流れの核分裂成分との間の比例係数であり、
−Ｙｋ（Ｅ）は、ｋ番目の積分結果を特徴付ける応答関数である。
【００３２】
本発明の特有の特徴によれば、前記応答関数Ｙｋ（Ｅ）が、前記区間［Ｅｍｉｎ，Ｅｍａｘ］に一致し、あるいは前記区間［Ｅｍｉｎ，Ｅｍａｘ］に含まれる対象のエネルギ帯［Ｅａ，Ｅｂ］の識別関数であって、
Ｅａ＜Ｅ＜Ｅｂであるならば、Ｙｋ（Ｅ）＝１であり、
そうでないならば、Ｙｋ（Ｅ）＝０であり、
Ｒｋ（ｔｎ）が、エネルギがＥａとＥｂの間である中性子の流れであり、すなわち：
0005529144.tif 000004
である。
【００３３】
本発明の別の特有の特徴によれば、前記応答関数Ｙｋ（Ｅ）が、反応の有効巨視的部分Σｒ（Ｅ）であって、
0005529144.tif 000005
であり、
Ｎｉ’は、媒体内に存在する同位体ｉの原子の数であり、
0005529144.tif 000006
は、媒体内での反応ｒに関する同位体ｉの有効微視的部分であり、Ｒｋ（ｔｎ）は、媒体内での反応ｒの速度であり、すなわち：
0005529144.tif 000007
であり、反応ｒが、例えば核分裂又は捕捉又は拡散あるいは損傷反応である。
【００３４】
本発明の測定装置のさらなる特徴によれば、前記高速中性子検出器及び前記熱中性子検出器が核分裂チャンバであるため、前記進行性の感度Ｉ１１（ｔｎ）、Ｉ１２（ｔｎ）、Ｉ２１（ｔｎ）、及びＩ２２（ｔｎ）が、それぞれ：
0005529144.tif 000008
（ここでＮｉ（ｔｎ）は、主として高速中性子の検出に適する材料の同位体ｉの瞬間ｔｎにおける同位体組成であり、
0005529144.tif 000009
は、同位体ｉの有効部分である）、
0005529144.tif 000010
（ここでＮｊ（ｔｎ）は、主として熱中性子の検出に適する材料の同位体ｊの瞬間ｔｎにおける同位体組成であり、
0005529144.tif 000011
は、同位体ｊの有効部分である）
と記述される。
【００３５】
本発明のさらなる特徴によれば、前記熱中性子検出器が、ウラニウムＵ２３５を含んでいる核分裂チャンバである。
【００３６】
本発明の別のさらなる特徴によれば、前記高速中性子検出器が核分裂チャンバであり、前記熱中性子検出器がコレクトロンであるため、前記進行性の感度Ｉ１１（ｔｎ）、Ｉ１２（ｔｎ）、Ｉ２１（ｔｎ）、及びＩ２２（ｔｎ）が、それぞれ：
0005529144.tif 000012
及び
0005529144.tif 000013
（ここでＮｉ（ｔｎ）は、主として高速中性子の検出に適する材料の同位体ｉの瞬間ｔｎにおける同位体組成であり、
0005529144.tif 000014
は、同位体ｉの有効部分である）、並びに
0005529144.tif 000015
（ここで
0005529144.tif 000016
は、主として熱中性子の検出に適する材料の瞬間ｔｎにおける熱フルーエンスｔｎΨ（ｔｎ）の関数として表にまとめられた補正の消耗関数であり、ＳＲｈ（Ｅ）はコレクトロンの感度である）と記述される。
【００３７】
本発明のさらなる特徴によれば、前記熱中性子検出器が、ロジウム又はバナジウムあるいは銀で作られたコレクトロンである。
【００３８】
本発明の別のさらなる特徴によれば、前記高速中性子検出器が、しきい値核分裂性デポジットを有する核分裂チャンバであり、例えば少なくとも９９．５％の純度のプルトニウムＰｕ２４２を含んでいる核分裂チャンバである。
【００３９】
本発明の別のさらなる特徴によれば、前記少なくとも９９．５％の純度のプルトニウムＰｕ２４２を含んでいる核分裂チャンバが、
・加圧された検出ガスを収容することができ、中性子が通過できる壁を有している筐体、
・互いに電気的に絶縁されており、間に電圧を印加することができる第１及び第２の電極、
・前記２つの電極の少なくとも一方に付着させられ、少なくとも９９．５％の原子の純度のプルトニウム２４２を含んでいる核分裂性物質、及び
・前記加圧された筐体に含まれており、核分裂の生成物によるイオン化が可能である検出ガス
を含んでいる。
【００４０】
本発明のさらなる特徴によれば、前記第１の電子回路が、前記高速中性子検出器によって供給される信号のデジタル分散の形態のデジタル信号ＶＲ（ｔｎ）を送達するデジタル分散計算プロセッサを備えている。
【００４１】
本発明の別のさらなる特徴によれば、前記第２の電子回路が、前記熱中性子検出器によって供給される信号のデジタル分散の形態のデジタル信号ＶＲ（ｔｎ）を送達するデジタル分散計算プロセッサを備えている。
【００４２】
本発明の別のさらなる特徴によれば、前記第２の電子回路が、デジタル電流−電圧変換回路である。
【００４３】
本発明の測定装置は、ガンマ線に起因する信号の成分を選択的に破棄する。照射炉において行われた実験が、実際に、ガンマ線が、しきい値核分裂チャンバによって生成される平均電流の半数を超える原因であることを示している。この場合、核分裂チャンバを「変動」又は「Ｃａｍｐｂｅｌｌ」として知られるモードで動作させることが推奨される。これは、核分裂チャンバによって生成される電流の平均よりもむしろ、分散に関係することにある。その結果、ガンマ線の寄与を無視することが可能である。なぜならば、この寄与は、最大でも分散の数パーセントポイントしか呈さないからである。
【００４４】
ガンマ線の寄与を無視できるようにする本発明の好ましい実施の形態の文脈において、本発明の特に好都合な測定装置は、例えば以下の基本的な構成要素、すなわち：
・例えば４％のチッ素が加えられたアルゴンを収容しているＰｕ２４２のプルトニウム核分裂チャンバなど、主として高速中性子について高感度である中性子検出器、
・Ｐｕ２４２のプルトニウム核分裂チャンバによって供給される信号を変動モードで操作できるようにする電子プロセッサ、
・変動モードにおける使用に適合し、Ｐｕ２４２のプルトニウム核分裂チャンバを核分裂チャンバによって供給される信号を使用する処理電子機器へと接続するケーブルによる接続（したがって、ケーブルの特徴インピーダンスは、電子プロセッサの入力インピーダンスに適するように変更される）、
・例えばコレクトロン（「自己出力形中性子検出器（Ｓｅｌｆ  Ｐｏｗｅｒｅｄ  Ｎｅｕｔｒｏｎ  Ｄｅｔｅｃｔｏｒ）」を略してＳＰＮＤ）又はウラニウムＵ２３５の核分裂チャンバなど、主として熱中性子について高感度である中性子検出器、
・ＰＭＭ演算コード（「測定のモデル化のプロセス（Ｐｒｏｃｅｓｓ  ｏｆ  Ｍｏｄｅｌｌｉｎｇ  ｏｆ  Ｍｅａｓｕｒｅｍｅｎｔ）」を略してＰＭＭ）、及び
・コンピュータ
を備える。
【００４５】
本発明の他の特徴及び利点が、添付の図面を参照しつつ好ましい実施の形態を検討することによって、明らかになるであろう。
【図面の簡単な説明】
【００４６】
【図１】Ａ及びＢは、本発明による測定装置を製造するために使用することができる核分裂チャンバの２つの例を示している。
【図２】図１Ａ及び１Ｂに示した核分裂チャンバに核分裂性物質を付着させるために適した装置を示している。
【図３】本発明による測定装置の概略図を示している。
【図４】図３の本発明の測定装置の動作を説明するタイミング図を示している。
【図５】本発明の測定装置に使用される特定の回路の概略図を示している。
【図６】連続的な変化によって形成される種々の同位体について、Ｐｕ２４２のプルトニウム核分裂チャンバからの測定信号への寄与（熱の捕捉）を示している。
【００４７】
すべての図において、同じ参照番号は、同じ構成要素を指し示している。
【発明を実施するための形態】
【００４８】
図１Ａ、１Ｂ、及び２については、すでに説明した。したがって、それらを再び説明する意味はない。
【００４９】
図３が、高速及び熱外中性子の流れをオンラインで測定する本発明による装置の概略図を示しており、図４が、図３に示した本発明の測定装置の動作の理解に役立つタイミング図を示している。
【００５０】
装置が、高速中性子の測定のためのＤＮＲ検出器と、ＤＮＲ検出器からの信号を調整及び処理するための第１の電子回路Ｃ１と、熱中性子の測定のためのＤＮＴ検出器と、ＤＮＴ検出器からの信号を調整及び処理するための第２の電子回路Ｃ２と、エボリューションコードＣＥと、演算コードＰＭＭと、コンピュータＣＡＬＣとを備えている。
【００５１】
ＤＮＲ検出器が電流ｉＲ（ｔ）を供給し、ＤＮＴ検出器が、電流ｉＴ（ｔ）を供給する。電流ｉＲ（ｔ）及びｉＴ（ｔ）が、調整／処理回路Ｃ１及び第２の調整／処理回路Ｃ２へとそれぞれ送信され、調整／処理回路Ｃ１及び第２の調整／処理回路Ｃ２が、不連続な瞬間ｔｎにおけるデジタル信号ＶＲ（ｔｎ）及びデジタル信号ＶＴ（ｔｎ）をそれぞれ送達する。以下で明らかにされるとおり、デジタル信号ＶＲ（ｔｎ）は、好ましくは電流ｉＲ（ｔ）のデジタル分散である。しかしながら、本発明は、例えば電流の平均値など、電流の分散以外の他のデジタル信号に関する。デジタル信号ＶＲ（ｔｎ）及びＶＴ（ｔｎ）は、コンピュータＣＡＬへと送信される。
【００５２】
コンピュータＣＡＬＣは、各々の瞬間ｔｎにおいて、選択されたエネルギ区間［Ｅｍｉｎ，Ｅｍａｘ］についての少なくとも１つの積分結果Ｒｋ（ｔｎ）（ｋ＝１、２、・・・、ＮＲ）を、デジタル信号ＶＲ（ｔｎ）及びＶＴ（ｔｎ）並びにエボリューションコードＣＥ及び演算コードＰＭＭからもたらされるデータから計算する。指数ｋは、１〜ＮＲまで変化するカレントインデックスであり、ここでＮＲは、同じ瞬間ｔｎにおいて計算される完全な結果の最大数を表わしている。
【００５３】
次に、結果Ｒｋ（ｔｎ）の計算を説明する。
【００５４】
各々の瞬間ｔｎにおいて、コンピュータＣＡＬＣは、測定信号ＶＲ（ｔｎ）及びＶＴ（ｔｎ）を受信し、以下の計算を実行する：
１）高速及び熱外中性子の流れの成分φ１（ｔｎ）及び熱中性子の流れの成分φ２（ｔｎ）の以下のような計算。
φ１（ｔｎ）＝ｈ１１・ＶＲ（ｔｎ）＋ｈ１２・ＶＴ（ｔｎ）
φ２（ｔｎ）＝ｈ２１・ＶＲ（ｔｎ）＋ｈ２２・ＶＴ（ｔｎ）
２）以下の式：
Ｒｋ（ｔｎ）＝ｍｋ１・φ１（ｔｎ）＋ｍｋ２（θ）・φ２（ｔｎ）
（ここで、大きさｍｋ１及びｍｋ２は、以下のそれぞれの式によって与えられる：
0005529144.tif 000017
（ここで、Ｙｋ（Ｅ）は、エネルギサポート［Ｅｍｉｎ，Ｅｍａｘ］に関して定められ、最終結果Ｒｋ（ｔｎ）を特徴付ける応答関数である）
を使用した少なくとも１つの結果
0005529144.tif 000018
の計算。
【００５５】
これに限られるわけではない例として、高速中性子の流れの計算においては、応答関数Ｙｋ（Ｅ）が、［ＥＳ，Ｅｍａｘ］に対応し、ここでエネルギＥＳが、これを上回ると中性子が高速中性子であると考えられるしきい値である。しきい値ＥＳは、例えば１００ＫｅＶ又は１Ｍｅｖに等しくてよい。これにより、以下が得られる：
Ｅ＞ＥＳにおいて、Ｙｋ（Ｅ）＝１、及び
Ｅ≦ＥＳにおいて、Ｙｋ（Ｅ）＝０
【００５６】
２つの関数ｆ１（Ｅ）及びｆ２（Ｅ，θ）が、以下のそれぞれの式によって与えられる：
ｆ１（Ｅ）＝ｆｆｉｓｓ（Ｅ）＋α・ｆｅｐｉ（Ｅ）
ｆ２（Ｅ，θ）＝ｆｍｘｗ（Ｅ，θ）
（ここで、ｆｆｉｓｓ（Ｅ）、ｆｅｐｉ（Ｅ）、及びｆｍｘｗ（Ｅ，θ）が、それぞれ中性子の流れの核分裂成分、中性子の流れの熱外成分、及び中性子の流れのＭａｘｗｅｌｌｉａｎ成分である。成分ｆｆｉｓｓ（Ｅ）、ｆｅｐｉ（Ｅ）、及びｆｍｘｗ（Ｅ，θ）は、この技術分野において公知の大きさである。係数αは、熱外成分と核分裂成分との間の公知の比例係数である。）
【００５７】
上述したように、本発明は、上記定義の応答関数以外の応答関数Ｙｋ（Ｅ）に関する。したがって、応答関数Ｙｋ（Ｅ）は、区間［Ｅｍｉｎ，Ｅｍａｘ］内にあり、あるいは区間［Ｅｍｉｎ，Ｅｍａｘ］と同一である対象のエネルギ帯［Ｅａ，Ｅｂ］の識別関数であってよい。これにより、以下が得られる：
Ｅａ＜Ｅ＜Ｅｂであるならば、Ｙｋ（Ｅ）＝１
そうでない場合、Ｙｋ（Ｅ）＝０
【００５８】
応答関数は、以下のように、反応の有効巨視的部分Σｒ（Ｅ）であってもよい。
0005529144.tif 000019
（ここで、Ｎｉ’は、媒体内に存在する同位体ｉの原子の数であり、
0005529144.tif 000020
は、媒体内の反応ｒに関する同位体ｉの有効微視的部分であり、Ｒｋ（ｔｎ）が、媒体内の反応ｒの速度である。
【００５９】
有利には、大きさＮｉ’の流れの最中のエボリューションを、測定システムによって割り出される流れφ（ｔｎ，Ｅ）を使用し、エボリューションコード（例えば、核分裂チャンバの検出材料の同位体組成の計算に使用されるエボリューションコードＣＥ）を使用して計算することができる。
【００６０】
同じ瞬間ｔｎにおいてＮＲ回の流れの計算が同時に行われる一般的な場合においては、以前の計算が、行列の形態で記述される。これにより、時間変数を省略して、以下が得られる：
0005529144.tif 000021
【００６１】
Ｍ及びＨの行列が、最初に初期化段階においてＰＭＭによって計算され、次いで後述のように、不連続な瞬間
0005529144.tif 000022
においてＰＭＭによって定期的に更新される。
【００６２】
初期の行列Ｍ及びＨは、Ｍ０及びＨ０と称される。更新の瞬間
0005529144.tif 000023
及び
0005529144.tif 000024
の間の行列Ｍ及びＨは、Ｍｐ及びＨｐと称される。
【００６３】
ＰＭＭの機能は、中性子の流れ及び検出器の物理的モデルに基づいてＭ及びＨの測定を解釈するための行列を計算することである。
【００６４】
１）初期化段階
第１の測定の瞬間ｔ０の前に、ＰＭＭは、以下の作業を実行する。
【００６５】
１．１）行列Ｍの計算
ｍｋ１及びｍｋ２が、デジタル積分アルゴリズムを使用して計算される。これにより、以下が得られる：
0005529144.tif 000025
【００６６】
減速材の温度θ０は、ユーザによって入力され（したがって、実験の全体にわたって一定であると仮定される）、あるいはシステムの始動時に測定される。
【００６７】
上述したように、Ｙｋ（Ｅ）は、選択される積分結果を定める応答関数である。積分結果は、以下のとおり再掲される：
0005529144.tif 000026
【００６８】
すでに述べたように、２つの関数ｆ１（Ｅ）及びｆ２（Ｅ，θ）が、以下のように与えられる：
ｆ１（Ｅ）＝ｆｆｉｓｓ（Ｅ）＋α・ｆｅｐｉ（Ｅ）
ｆ２（Ｅ，θ）＝ｆｍｘｗ（Ｅ，θ）、
（ここで、核分裂成分ｆｆｉｓｓ、熱外成分ｆｅｐｉ、及びＭａｘｗｅｌｌｉａｎ成分ｆｍｘｗは、この技術分野において公知の大きさである。）
【００６９】
非限定的な例として、核分裂成分は、以下の形態の関数によってエネルギに依存する：
0005529144.tif 000027
（ここで、パラメータａ及びｂは、炉において使用される燃料の種類に応じて決まる。）
【００７０】
これは、熱外成分について、例えば：
0005529144.tif 000028
を与え、ここで、非限定的な例として：
Ｅ０＝０ｅＶ；Ｅ１＝０．２ｅＶ；Ｅ２＝０．２５ＭｅＶ；Ｅ３＝１ＭｅＶ
である。
【００７１】
最後に、Ｍａｘｗｅｌｌｉａｎ成分は、例えば：
0005529144.tif 000029
と記述され、ここで、Ｋ＝８．６１７３４３×１０−５ｅＶ／Ｋである（Ｋは、ボルツマン定数を電子の電荷で割ったもの）。
【００７２】
正規化係数κｆｉｓｓ及びκｅｐｉは、以下のようである。
0005529144.tif 000030
【００７３】
１．２）Ｈ０の計算
１．２．１  ＤＮＲ及びＤＮＴ検出器が核分裂チャンバである場合：
すなわち、核分裂チャンバが、指数ｊによって特定される：
−  ｊ＝１が、高速中性子の検出のための核分裂チャンバ（例えば、Ｐｕ２４２チャンバ）であり、
−  ｊ＝２が、熱中性子の検出のための核分裂チャンバ（例えば、Ｕ２３５チャンバ）である。
【００７４】
ステップ１：同位体組成の計算
入力データは、核分裂チャンバのデポジットの初期の同位体組成
0005529144.tif 000031
（各々の同位体ｉの原子の数）で構成される。瞬間
0005529144.tif 000032
において与えられるこの同位体組成は、核分裂チャンバの製造者によって行われる化学的分析からもたらされ、あるいは有利には、核分裂チャンバの以前の照射においてＰＭＭによって行われた計算から得られる。
【００７５】
この入力データにて、ＰＭＭは、（ＪＥＦ、ＥＮＤＦ、などの種類の）標準的なライブラリから得られる核データ（有効部分、放射性崩壊定数、など）にさらに依存するエボリューションコードＣＥを使用して、中性子の流れがゼロである場合について、エボリューションの計算を開始する。
【００７６】
放射性崩壊の計算だけ（流れがゼロ）で構成されるこのエボリューションの計算の結果が、ｔ０におけるデポジットの同位体組成：
0005529144.tif 000033
である。
【００７７】
ステップ２：核分裂チャンバの高速及び熱感度の計算
核分裂チャンバの感度Ｉｊｉが、核分裂速度ＲＤｊと該当の流れの成分との間の比として定められ、すなわち以下のようであることが、再掲される：
ＲＤｊ＝Ｉｊ１・φ１＋Ｉｊ２・φ２
【００７８】
したがって、ＰＭＭが、核分裂チャンバの高速及び熱感度の係数を計算する：
0005529144.tif 000034
【００７９】
減速材の温度θ０は、ユーザによって入力され（したがって、実験の全体にわたって一定であると仮定される）、あるいはシステムの始動時に測定される。
【００８０】
エネルギサポート［Ｅｍｉｎ，Ｅｍａｘ］に関して定められる入力データ
0005529144.tif 000035
は、同位体ｉの有効核分裂部分を指す。一般的には、（ＪＥＦ、ＥＮＤＦ、などの種類の）標準化された核データライブラリから得られる。
【００８１】
１．２．２  ＤＮＲ検出器が核分裂チャンバであり、ＤＮＴ検出器がコレクトロン（ＳＰＮＤ）である場合
コレクトロンと核分裂チャンバとの間の相違は、コレクトロンの固体検出材料における自己保護及び自己吸収現象を、デポジットがきわめて薄い（単位面積あたりの質量が１ｍｇ／ｃｍ２未満である）核分裂チャンバの場合と異なり、無視することができない点にある。したがって、流れの最中のエボリューションの計算がより複雑になり、オンラインで実行することが不可能である。したがって、計算が前もって実行され、後述されるように、コレクトロンによって積分される熱フルーエンスに依存する消耗関数の形態にて結果が表にまとめられる。
【００８２】
すなわち、コレクトロン（例えば、ロジウム（Ｒｈ）コレクトロン）が、指数ｊによって特定される。コレクトロンの感度が、捕捉速度ＲＤｊと該当の流れの成分との間の比として定められ、すなわち以下のようであることを、思い出されたい：
ＲＤｊ＝Ｉｊ１・φ１＋Ｉｊ２・φ２
【００８３】
この場合、入力データは、以下のとおりである：
−
0005529144.tif 000036
：コレクトロンによって積分された初期の熱フルーエンス（熱の流れの時間積分）。瞬間
0005529144.tif 000037
において与えられるこのフルーエンスは、新しいコレクトロンの場合にはゼロである。他の場合には、コレクトロンの先の使用（照射）の際にＰＭＭによって行われた計算から得られる。
−ＳＲｈ：有効捕捉部、エミッタの自己保護、及び放射された電子の自己吸収を考慮に入れたＳＰＮＤ（例えば、ロジウムＲｈ  ＳＰＮＤ）の感度（専門家によって行われる計算）。
−Ｕ（Ψ）：熱フルーエンスΨの関数として表にまとめられた消耗関数（専門家による計算、又は実験的経験からのフィードバック）。
【００８４】
ＳＲｈ及びＵの計算は、例えば参考文献［６］に記載の刊行物に記載されている。
【００８５】
ＰＭＭは、以下の式を使用してコレクトロンの高速及び熱感度を直接計算する：
0005529144.tif 000038
【００８６】
減速材の温度θは、ユーザによって入力され（したがって、実験の全体を通じて一定であると仮定される）、あるいはシステムの始動時に測定される。
【００８７】
１．２．３）Ｈ０の計算
ＰＰＭＭは、２×２の行列を反転させる：
0005529144.tif 000039
【００８８】
較正係数Ｋｊは、コンピュータへと送られた大きさＶｊと検出器ｊにおける相互作用（核分裂又は捕捉）の速度ＲＤｊとの間の比である（Ｖｊ＝Ｋｊ・ＲＤｊ）。
【００８９】
２）Ｍ及びＨ行列の更新
２．１）コンピュータＣＡＬＣ及びＰＭＭの時間同期
コンピュータＣＡＬＣ及びＰＭＭの時間同期が、図４に示されている。
【００９０】
ＰＭＭは、Ｔｐ（図４のＴ０、Ｔ１、Ｔ２、Ｔ３、・・・を参照）と称される瞬間において、Ｍ及びＨを更新するための計算を開始する。
【００９１】
計算が収束したとき、ＰＭＭは、Ｍｐ及びＨｐと称される新たな行列を、Ｍｐ−１及びＨｐ−１と称される先の行列の代わりに使用するためにコンピュータへと送信する。
【００９２】
コンピュータは、瞬間
0005529144.tif 000040
において、Ｍｐ及びＨｐを考慮する。期間
0005529144.tif 000041
は、さまざまであってよい。瞬間Ｔｐが、
0005529144.tif 000042
であるように選択されることだけが必要である。
【００９３】
実際には、ＰＭＭを担当するプロセッサが許容する演算性能の関数として、可能な限り小さい一定の値ΔＴｐ＝Ｔｐ−Ｔｐ−１＝Ｑ・ｄｔが選択される。ＰＭＭの他のシーケンシングの基準も考えられるが、我々の選択したシーケンシングの基準と比べ、特に興味深いものではない。
【００９４】
観察：測定値は、瞬間
0005529144.tif 000043
の付近において一定であるが、解釈行列の変化が、結果に小さなジャンプεｐ（図４のε１、ε２、ε３を参照）を持ち込む。
0005529144.tif 000044
【００９５】
ジャンプεｐは、実際には、Ｔｐ−１における最後のＰＭＭの計算から（ゆっくりと）蓄積した感度誤差の保証である。この誤差は、（Ｔｐ−Ｔｐ−１）が充分に短い場合（実際には、この時間期間において検出器によって積分されるフルーエンスが充分に小さい場合）には、依然として無視できる。
【００９６】
２．２）平均測定値の計算
ＰＭＭは、コンピュータによって使用される解釈行列Ｍ及びＨを更新するために、測定値ＶＲ及びＶＴを使用する。減速材の温度θが測定される場合、それもこのプロセスにおいて使用されるが、そうでない場合には、ＰＭＭは、ユーザによって入力される温度（検出器の照射の全体を通じて一定であると仮定される）を使用する。
【００９７】
瞬間Ｔｐ−１及びＴｐの間に、ＰＭＭは、各々の瞬間ｔｎにおいてコンピュータによってＰＭＭへと送信される測定値ＶＲ及びＶＴ（おそらくは、θも）を、以下の平均値を計算する目的で蓄積する：
0005529144.tif 000045
0005529144.tif 000046
θが測定される場合、
0005529144.tif 000047
θが入力される場合、
0005529144.tif 000048
Ｎｐは、瞬間Ｔｐ−１及びＴｐの間にＰＭＭへと送信される測定値の数である。
0005529144.tif 000049
【００９８】
２．３）瞬間Ｔｐにおける平均中性子流の計算
平均の測定は、行列Ｈを使用してコンピュータが行うものとＰＭＭによって解釈される。以下が最初に計算され：
0005529144.tif 000050
次いで平均中性子流が、以下によって計算される：
0005529144.tif 000051
観察１：平均の流れが、Ｈｐを計算するために使用される。したがって、ＰＭＭは、Ｈｐを計算するためにＨｐ−１を使用し、これは反復アルゴリズムである。
観察２：２つのＰＭＭの計算の間の時間間隔が可能な限り短いと仮定されるため、以下の工程において平均の流れを使用することを容認できる。
【００９９】
２．４）行列Ｍの更新
温度θがユーザによって入力され、一定であると仮定される場合、何も行う必要がない。Ｍｐ＝Ｍ０である。
【０１００】
温度θが測定される場合、Ｍの第２列だけを更新しなければならない。θ０を
0005529144.tif 000052
で置き換えることによって、Ｍ０と同様に進められる：
0005529144.tif 000053
【０１０１】
２．５）行列Ｈの更新
Ｈｐの計算は、中性子の流れがもはやゼロではなく、エボリューションの計算において中性子の検出材料との相互作用が考慮されなければならない点で、Ｈ０の計算と異なる。
【０１０２】
２．５．１  核分裂チャンバの感度の計算
すなわち、指数ｊによって特定される核分裂チャンバ（ＤＮＲ核分裂チャンバについて、ｊ＝１であり、ＤＮＴ核分裂チャンバについて、ｊ＝２である）。
【０１０３】
ステップ１：同位体組成の計算
入力データは、以下のとおりである。
−瞬間Ｔｐ−１における核分裂チャンバのデポジットの同位体組成
0005529144.tif 000054
（各々の同位体ｉの原子の数）。
0005529144.tif 000055
は、初期化段階においてＰＭＭによって計算される。
−平均中性子の流れ
0005529144.tif 000056
【０１０４】
この入力データにて、ＰＭＭは、（ＪＥＦ、ＥＮＤＦ、などの種類の）標準的なライブラリから得られるＤＮ核データ（有効部分、放射性崩壊定数、など）にさらに依存するエボリューションコードＣＥを使用して、中性子の流れの最中のエボリューションの計算を開始する。
【０１０５】
このエボリューションの計算の結果が、瞬間Ｔｐにおけるデポジットの同位体組成：
0005529144.tif 000057
である。
【０１０６】
ステップ２：核分裂チャンバの高速及び熱感度の計算
核分裂チャンバの感度Ｉｊｉが、核分裂速度と該当の流れの成分との間の比として定められ、すなわち以下のようであることを、思い出されたい：
ＲＤｊ＝Ｉｊ１・φ１＋Ｉｊ２・φ２
【０１０７】
したがって、ＰＭＭが、瞬間Ｔｐにおける核分裂チャンバの高速及び熱感度の係数を計算することができる：
0005529144.tif 000058
【０１０８】
エネルギサポート
0005529144.tif 000059
に関して定められる入力データ
0005529144.tif 000060
が、同位体ｉの有効核分裂部分を指す。（ＪＥＦ、ＥＮＤＦ、などの種類の）標準化された核データライブラリから得られる。
【０１０９】
２．５．２  コレクトロンの感度の計算（ＤＮＴ検出器がコレクトロンである場合）
すなわち、コレクトロン（例えば、ロジウム（Ｒｈ）コレクトロン）が、指数ｊによって特定される。
【０１１０】
２つのステップが含まれる。
【０１１１】
ステップ１：コレクトロンによって積分される熱フルーエンスの計算
反復的なやり方で進められる：
0005529144.tif 000061
かつ
Ψｊ（Ｔ０）＝Ψｊ（ｔ０）
（ここで、
0005529144.tif 000062
は、関数ＳＲｈ（Ｅ）及びＵ（Ψ）の計算において使用された約束事と同じ約束事を使用して
0005529144.tif 000063
から推定される熱の流れである。
【０１１２】
実際には、関数ＳＲｈ（Ｅ）及びＵ（Ψ）の計算を行った専門家が、以下のように２つのパラメータα１及びα２を定めている。
0005529144.tif 000064
【０１１３】
ステップ２：コレクトロンの高速及び熱感度の計算
入力データは、以下のとおりである。
−Ψｊ（Ｔｐ）：コレクトロンによって積分された熱フルーエンス（熱の流れの時間積分）。
−ＳＲｈ（Ｅ）：有効捕捉部、エミッタの自己保護、及び放射された電子の自己吸収を考慮に入れたコレクトロン（例えば、ロジウム（Ｒｈ）コレクトロン）の感度（専門家によって行われる計算）。
−Ｕ（Ψ）：熱フルーエンスΨの関数として表にまとめられた消耗関数（専門家による計算、又は実験的経験からのフィードバック）。
【０１１４】
ＰＭＭは、以下の式を使用してコレクトロンの高速及び熱感度を直接計算する。
0005529144.tif 000065
【０１１５】
２．５．３）Ｈｐの計算
ＰＭＭは、２×２の行列を反転させる。
0005529144.tif 000066
【０１１６】
較正係数Ｋｊは、コンピュータへと送られた大きさＶｊと検出器ｊにおける相互作用（核分裂又は捕捉）の速度ＲＤｊとの間の比である（Ｖｊ＝Ｋｊ・ＲＤｊ）。
【０１１７】
２．６）行列Ｍ及びＨの送信
ＰＭＭが、行列Ｍｐ及びＨｐをコンピュータＣＡＬＣへと送信し、コンピュータＣＡＬＣが、瞬間
0005529144.tif 000067
における解釈行列Ｍ及びＨへと代入する。
【０１１８】
本発明の好ましい実施の形態によれば、ＤＮＲ検出器が、しきい値核分裂性デポジットを有する核分裂チャンバである。そのような核分裂チャンバが、例えば図１Ａ及び１Ｂに示されている。しきい値核分裂性デポジットは、すでに述べたように、プルトニウムＰｕ２４２のデポジットであってよい。しきい値核分裂性デポジットはまた、ウラニウムＵ２３８、ネプツニウムＮｐ２３７、又はトリウムＴｈ２３２のデポジットであってもよい。本発明の好ましい実施の形態の文脈においては、接続ケーブルが、ＤＮＲ検出器を回路Ｃ１へと接続している。この接続ケーブルは、検出器に電気的極性を与えるため、及び核分裂チャンバによって供給される信号を処理回路Ｃ１へと伝えるために、同時に使用される。ケーブルのうちの中性子の流れに曝される部分を、無機絶縁体（アルミナ、シリカ、マグネシウム）から製作しなければならない。ケーブルは、好ましくは検出器に一体化され、その外径は、検出器の外径よりも小さい。さらに、このケーブルは、変動モードでの核分裂チャンバの動作に適合した電気的特性を有していなければならない。すなわち、単位長さあたりの容量が小さくなければならず、特徴インピーダンスが電子機器の入力インピーダンス（典型的には、５０Ω）に近くなければならず、寄生信号に対する頑強な免疫を保証するために伝達インピーダンスが低くなければならない。この目的のため、銅の導体及び銅の遮蔽が、炉内で満足できる機械的特性を付与するために、ステンレス鋼又はインコネル製のケーシングとともに使用される。ケーブルは、例えば、直径３ｍｍの核分裂チャンバにおいては、おおむね２ｍｍ〜２．２ｍｍの間の直径を有し、直径１．５ｍｍの核分裂チャンバにおいては、おおむね１．３ｍｍに等しい直径を有する（伝達インピーダンスの最適化）。
【０１１９】
図５が、本発明の好ましい実施の形態による調整／処理回路Ｃ１を詳しく示す概略図を示している。回路Ｃ１は、前置増幅器ＰＡ、アナログ／デジタル変換器ＣＡＮ、デジタル分散演算プロセッサＶＡＲ、及び高電圧発生器ＨＴを含んでいる。ＤＮＲ検出器が、ケーブルＣＡＢによって回路Ｃ１へと接続されている。前置増幅器ＰＡが、ケーブルＣＡＢを介して受信した電流ｉＲ（ｔ）をアナログ電圧Ｖａ（ｔ）へと変換し、アナログ電圧Ｖａ（ｔ）が、アナログ／デジタル変換器ＣＡＮへと送信される。高電圧発生器ＨＴによってもたらされる高電圧Ｔが、前置増幅器ＰＡ及びケーブルＣＡＢを介してＤＮＲ検出器へと通過する。アナログ／デジタル変換器ＣＡＮが、アナログ電圧Ｖａ（ｔ）を、不連続な間隔ｔｎ＝ｎ・ｄｔ（ｄｔがサンプリング間隔（典型的には、ｄｔ＝１μｓ）であり、ｎがサンプルの時間インデックスを表わす整数である）でサンプリングされたデジタル電圧Ｖｎ（ｔｎ）へと変換し、デジタル電圧Ｖｎ（ｔｎ）が、デジタル分散演算プロセッサＶＡＲへと送信され、デジタル分散演算プロセッサＶＡＲが、デジタル分散ＶＲ（ｔｎ）を供給する。
【０１２０】
信号処理器は、好ましくはＣａｍｐｂｅｌｌの定理（文献［４］を参照）にもとづく変動モードを使用する。この定理は、核分裂チャンバにおいてパルスの累積によって生成される電気信号が、興味深い統計学的特性を有することを実証している。この信号の平均及び分散の両方が、実際に、入射する中性子の流れに比例するが、平均が、検出される各々の中性子についてガス中に生成される平均電荷Ｑにも比例する一方で、分散に関しては、この電荷の平方に比例する。
【０１２１】
この技術分野において公知の様相で、核分裂チャンバは、生成される電流の平均が対象である場合に、「電流モード」で動作していると称される。電流モードの核分裂チャンバの感度は、Ｑに比例する。一般に、中性子によって生成される電荷は、ガンマ光子によって生成される電荷よりも１００倍も大きいため、同じことが、中性子及びガンマのそれぞれの流れに対する相対感度にも当てはまる。この特性が、核分裂チャンバを、強力なガンマ線の存在下（炉における測定の典型的な状況）での中性子の測定におおむね良好に適している中性子検出器にする。しかしながら、特定の条件下では、電流モードにおけるガンマ線の排除が、ガンマ線がきわめて強力（とりわけ、照射炉において）であるという理由、又は中性子に対する感度が低い（高速中性子に対する感度が伝統的なＵ２３５核分裂チャンバの熱中性子に関する感度よりも２桁低いＰｕ２４２核分裂チャンバの場合など）という理由で、不充分である可能性がある。したがって、「電流モード」の信号を、核分裂性のデポジットを持たない（したがって、もっぱらガンマ線を感受する）近傍の核分裂チャンバによって供給される信号を引き算することによって、補正しなければならない。したがって、中性子の流れにアクセスするために２つの検出器を使用しなければならない。
【０１２２】
この場合に、核分裂チャンバを「変動モード」で動作させることは、興味深い代案である。感度は量Ｑ２に依存するため、ガンマ線に対する感度は、中性子に関して観察される感度よりも約１０，０００分の１の小ささである。したがって、たとえ相当に難しい環境下でも、ただ１つの核分裂チャンバで、充分に効果的なガンマ線の除去を得ることが可能である。プルトニウムＰｕ２４２の核分裂チャンバにて、本件特許出願の発明者は、照射炉において、ガンマ線の寄与が電流モードにおける約５０％から変動モードにおける約０．６％にまで低下することを確認した。これが、本件特許出願の発明者が、変動モードでチャンバを動作させるために信号をデジタル処理するための電子機器を開発することを優先的に選択した理由である。
【０１２３】
核分裂チャンバから由来する電気信号が、増幅及び調整（前置増幅器ＰＡ）の後で、アナログ−デジタル変換器ＣＡＮを使用してデジタル化される。次いで、分散の計算が、例えばＦＰＧＡ（ＦＰＧＡは、「Ｆｉｅｌｄ  Ｐｒｏｇｒａｍｍａｂｌｅ  Ｇａｔｅ  Ａｒｒａｙ」の略）式のデジタル電子回路を使用し、あるいはプロセッサを使用して、デジタル的に実行される。
【０１２４】
ＣＡＮ回路が、サンプリング周波数Ｆｅ＝１／ｄｔでアナログ信号Ｖａ（ｔ）をデジタル信号ＶＲ（ｔｎ）としてサンプリングし、ｔｎ＝ｎ・ｄｔである。周波数Ｆｅは、例えば１ＭＨｚに等しい。次いで、デジタル信号Ｖｎ（ｔｎ）が、デジタルプロセッサＶＡＲによって処理される。プロセッサＶＡＲが、Ｎ個のサンプルからなる
Ｔｈ＝Ｎｄｔ
のような継続時間Ｔｈの巡る時間枠について、デジタル分散ＶＲ（ｔｎ）を計算する。
【０１２５】
継続時間Ｔｈは、例えば１００ｍｓに等しい。これにより、以下が得られる：
0005529144.tif 000068
【０１２６】
デジタル分散ＶＲ（ｔｎ）を、その帯域幅が元の信号Ｖｎ（ｔｎ）の帯域幅よりも小さいため、おそらくは（係数Ｎまで）大いに減らすことができる。このようにして、連続する測定が、入射する中性子の流れに比例する分散のデジタル値を、例えば１００ｍｓごとに生成する。
【０１２７】
熱中性子の測定は、例えばロジウムコレクトロンなどのコレクトロン（ＳＰＮＤ）を使用して行われ、あるいはウラニウムＵ２３５核分裂チャンバを使用して行われ、これも好ましくは変動モードで動作する（ガンマ線の排除）。熱中性子の測定が、流れの際の核分裂チャンバのデポジットの同位体組成のエボリューションを評価するために使用される。実際、強い熱の流れの影響下で、プルトニウムＰｕ２４２の連続的な変化によって核分裂性の同位体が形成され、プルトニウムＰｕ２４２核分裂チャンバの熱中性子に対する感度がどんどん高くなる。図６は、これに限られるわけではない例として、１Ｅ１５ｎ／ｃｍ２／ｓの熱及び高速の流れについて、総核分裂速度（図６のグラフＫＳ）、並びに順次の変化によって形成される種々の同位体、すなわちプルトニウムＰｕ２４２（図６のグラフＫ１）、プルトニウムＰｕ２４１（図６のグラフＫ２）、アメリシウムＡＭ２４３（図６のグラフＫ３）、キュリウムＣＭ２４４（図６のグラフＫ４）、及びキュリウムＣＭ２４５（図６のグラフＫ５）の総核分裂速度への寄与を示している。明らかに見て取ることができるとおり、連続的な変化によって出現する核分裂性の同位体のうちで最も問題になるものは、１０２１ｎ／ｃｍ２程度の熱フルーエンスからのＣｍ２４５（グラフＫ５）である。
【０１２８】
本発明の文脈において、電子調整／処理回路Ｃ２（図には示されていない）は、有利には、ＤＮＴ検出器がＵ２３５核分裂チャンバである場合に、回路Ｃ１と同一である。ＤＮＴ熱検出器がコレクトロンである場合には、回路Ｃ２は、デジタル電流−電圧変換回路である。この機能は、例えば、コレクトロンによって生成された電流が流れる抵抗器（例えば、１％において１０ｋΩの抵抗器）の端子における電圧の低下を測定するデジタル電圧計によって提供されうる。
【０１２９】
参考文献
［１］D. Beretzら:"French PWR Vessel Surveillance Program Dosimetry Experience Feedback from More than a Hundred Capsules", Reactor Dosimetry ASTM STP 1398, West Conshohocken, PA, 2000
［２］G. Bignan and J-C. Guyard: "Chambre a fission subminiature avec passage etanche" [Subminiature Fission Chamber with Airtight Passage], French patent, registration N° 9414293, publication N° 2727526
［３］Y. Kashchukら: "Monitoring the Fast Neutron Flux Density and Fluence in a RBMK Core Using a Threshold Fission Chamber in a Screen-Absorber". Atomic Energy, Vol. 98, 4, (2005), 249
［４］G.F. Knoll: "Radiation Detection and Measurement" 3rd Edition, John Wiley & Sons, 1999.
［５］A. Tsilanizaraら。DARWIN: "An evolution code system for a large range of applications". J. Nucl. Sci. Technol. 37 (2000) 845.
［６］L. Vermeeren: "Absolute on-line in-pile measurement of neutron fluxes using self-powered neutron detectors", 5th International Topical Meeting on Research Reactor Fuel Management, Org. European Nuclear Society, Aix-la-Chapelle, Germany, 1-3 April 2001.
【図１】
0005529144.tif 000085
【図２】
0005529144.tif 000086
【図３】
0005529144.tif 000087
【図４】
0005529144.tif 000088
【図５】
0005529144.tif 000089
【図６】
0005529144.tif 000090